(57)【特許請求の範囲】
【請求項１】
前方絶縁ブロック（３）；
前記の前方絶縁ブロック（３）に設けられた開口部（３００）に収容された電極前部（５０）と、屈曲部（５１）と、電極後部（５４，５４′、５５）とを有する屈曲した電極部材（５）；
中央部（２０）とウイング部（２１，２２）を有する後方絶縁ブロック（２）；及び
前方函体（４）；を有し、
前記前方絶縁ブロック、前記後方絶縁ブロック、および前記前方函体はそれぞれ別体のものであり、
かつ、前記前方函体は前記前方絶縁ブロックの一部を受け入れるための中央凹部を有し、
さらに、少なくとも前記前方函体（４）および前記後方絶縁ブロック（２）は補助係止手段（４３，２２０１，２２１０，２１１０）を備え、
前記後方絶縁ブロックおよび前記前方函体は、前記前方絶縁ブロックを両者の間に挟んだ状態での、前記補助係止手段の押し曲げ係止操作により固定することができるよう構成され、
しかも、前方函体（４）および前方絶縁ブロック（３）もまた、両者を押し曲げ係止操作により固定することができる補助係止手段（４２，３０１）を備えていることを特徴とする補助コネクタ（１）。
【請求項２】
前記請求項１に記載した補助コネクタにおいて、前記前方函体と後方絶縁ブロックとを固定する前記補助係止手段は、前方函体（４）の外縁部に設けられた押さえ部材（４３）と、後方絶縁ブロック（２）のウイング部（２１，２２）の外縁部に形成された係合用の窪み（２２０１，２２００，２１１０）であることを特徴とする補助コネクタ。
【請求項３】
前記請求項１に記載した補助コネクタにおいて、前記前方函体と前記前方絶縁ブロックとを固定するための前記補助係止手段（４２，３０１）は、前方函体（４）の外縁部に設けられた押さえ部材（４２）と、前方絶縁ブロック（３）の本体（３０）の外縁部に形成された係合用の窪み（３０１）であることを特徴とする補助コネクタ。
【請求項４】
請求項１ないし３の何れか一項に記載の補助コネクタにおいて、前記電極部材（５）の電極後部（５４，５４′、５５）は圧入型のものであることを特徴とする補助コネクタ。
【発明の詳細な説明】
【０００１】
【産業上の利用分野】
本願発明は、補助コネクタに関するものであり、より詳細には、前方絶縁ブロックと、絶縁ブロックに収容されたＬ字型の電極部材と、後方絶縁ブロックと、該補助コネクタが接続されるべき結合部材と連結される前方函体とを有する補助コネクタに関するものである。
【０００２】
【従来の技術】
本願発明に示すような補助コネクタは、印刷等の手段によって回路が形成された平板状の支持部材に固着されて用いられる。補助コネクタ後方の電気的接続は、平板状の支持部材に設けられた穴に電極の一端を挿入することによって行われる。
【０００３】
電極を挿入する際には、電極部材、後方絶縁ブロック、および、前方絶縁ブロックのそれぞれに応力が発生する。
【０００４】
この好ましくない応力は、前方絶縁ブロックと後方絶縁ブロックの分離、あるいは、電極が所定の位置からずれていた場合にはこれらの予期せぬ変形等を生じる原因となる。さらには、挿入する際に電極が変形して所期の接続が行われない可能性を生じる。
【０００５】
本願発明に関連する技術としては以下のものを挙げることができる。
【０００６】
スーリオ社（ＳＯＵＲＩＡＵ  ＥＴ  ＣＩＥＳ．Ａ．）のフランス特許第２６８４８１０号は、後方絶縁ブロックの上面、下面、および。側面に複数の溝が設けられ、その溝によって接点を収容する形の補助コネクタを開示するものである。この後方絶縁体は、同じく溝を有する前方絶縁体と上下方向に組み合わされて用いられるものである。
【０００７】
電極部材は前方絶縁体に予め挿入されるか、あるいは、予め接着された後に折り曲げられ、後方絶縁体は出荷の最終段階において組み込まれる。
【０００８】
電極を回路が形成された部分に挿入する際に、必要な押圧力が１０ニュートンにものぼるため、絶縁体が塑性変形する可能性がある。
【０００９】
米国特許公報第４５１２６１８号は、電極を収容する単一ブロックの絶縁体を開示するものである。該公報に開示される絶縁体は、前方に延在する接点板を有しており、相手方の補助コネクタの接点と印刷等によって設けられた回路との間を電気的に接続するよう構成されている。
【００１０】
【発明が解決しようとする課題】
これらの先行技術によっても、接続のために補助コネクタを挿入する際に塑性変形等が生じる問題は解決されていない。本願発明の目的は、接続の際の有害な変形を排除することにあるが、これのみが本願発明の目的ではなく、本願発明の目的は、好適な接続補助コネクタを提供することにもある。本願発明に係る補助コネクタによって、接続のために補助コネクタを圧入する際に必要十分な剛性が確保され、必然的に上記の問題が解消される。
【００１１】
本願発明によって従来の補助コネクタにおいて問題となっていた不具合が解消される。
【００１２】
【課題を解決するための手段】
このことを可能にするために、本願発明においては、従来の補助コネクタと異なり、前方函体は、電極を有する前方絶縁ブロックを収容すると同時に後方絶縁ブロックに対して固定される。
すなわち、本願発明によるコネクタは、前方絶縁ブロック；前記の前方絶縁ブロックに設けられた開口部に収容された電極前部と、屈曲部と、電極後部とを有する屈曲した電極部材；中央部とウイング部を有する後方絶縁ブロック；及び前方函体；を有し、前記前方絶縁ブロック、前記後方絶縁ブロック、および前記前方函体はそれぞれ別体のものであり、かつ、前記前方函体は前記前方絶縁ブロックの一部を受け入れるための中央凹部を有し、さらに、少なくとも前記前方函体および前記後方絶縁ブロックは補助係止手段を備え、前記後方絶縁ブロックおよび前記前方函体は、前記前方絶縁ブロックを両者の間に挟んだ状態での、前記補助係止手段の押し曲げ係止操作により固定することができるよう構成され、しかも、前方函体および前方絶縁ブロックもまた、両者を押し曲げ係止操作により固定することができる補助係止手段を備えたものである。
【００１３】
好ましくは、前方函体は後方絶縁ブロックと嵌合することで一対に形成される。この方法は極めて容易であり、工程を複雑にすることなくまた費用を増大させずに実施することができる。
【００１４】
また、好ましい他の実施態様によれば、前方函体は、さらに前方絶縁ブロックに対しても固定される。
【００１５】
本願発明は、前方絶縁ブロックと、絶縁ブロックの開口部に収容され接点を形成するＬ字型の電極部材と、中央部と互いに平行な２つのウイング部を有する後方絶縁ブロックと、対応する結合部材と連結されて全体として強固な構造となる前方函体とを有する補助コネクタを提案する。
【００１６】
本願発明の前記以外の特徴およびその効果は、図面および発明の詳細な説明によって明らかになる。
【００１７】
【実施例】
図１は、本願発明に係る補助コネクタの分解斜視図である。
図２および図３は、前方函体と前方絶縁ブロックとの結合の様子を示す斜視図であり、それぞれ斜め上および斜め下から見たものである。
図４および図５は、前方函体と前方絶縁ブロックとを最終的に後方絶縁ブロックに結合させた状態を示す斜視図であり、それぞれ斜め上および斜め下から見たものである。
【００１８】
図１は本願発明に係る補助コネクタ１の一実施態様を示す分解斜視図である。本願発明に係る補助コネクタ１は、後方絶縁ブロック２、屈曲した電極部材５、前方絶縁ブロック３、電極用開口、および、前方保護函体４を有する。
【００１９】
後方絶縁ブロック２は、中央部２０および２つのウイング部２１、２２を有する。前記ウイング部２１、２２は、電気回路が形成された版等（図示しない）に接触する面２１０、２２０を有する。これらの面は、図中、垂直な面として表現されている。以下の記載においては、これらの面は後方面と称する場合がある。これらの面には、好ましくは、補助コネクタ、より詳細には後方絶縁ブロック２を回路が印刷された版等に対して固定するための固定装置を貫通させるオリフィス２１００および２２００が設けられている。固定は、ネジ、ビス等を用いて行うことができる。
【００２０】
図１に示した実施例においては、後方絶縁ブロック２の後方面すなわち垂直面は、ウイング部２１および２２の後方表面２１０および２２０に対して後退している。後方絶縁ブロック２の中央部２０には、電極部材５を収容する溝２０１、２０２が長手方向に形成されている。より詳細には、電極後部５４、５４’および屈曲部の一部または全体が該溝に収容される。図に表示する実施例の場合には、電極は２列に配列されるものとしたが、本願発明はこの実施例に限定されることなく、電極が１列あるいは３列以上配列されたものに対しても同様に適用することができる。溝２０１、２０２はそれぞれ、深さが異なるよう形成される。以下の記載においては、溝の深さが浅い方の溝を浅い溝、溝の深さが深い方の溝を深い溝と称す。
【００２１】
図１においては、図面を煩雑にしないために、２つの電極部材５のみを表示してある。２列に配列される関係上、１列目の電極部材の電極後部５４は２列目の電極部材の電極後部５４’よりも短い。
【００２２】
好ましくは、絶縁ブロック２の中央部２０の項部面２００は、桟部材２０２を有しており、回路が印刷された版と密着することができるよう後退している。桟部材は、２つの浅い溝の間に設けられている。したがって、その数は一般的に浅い溝の数よりも少ない。図示した実施例の場合には、２つの溝に対して１つの桟部材が設けられている端部以外については、３つの溝に対して１つの桟部材が設けられている。
【００２３】
電極部材は主として３つの部分からなる。すなわち、接触用先端部５０と節部５１とを有する電極前部とも称する第１の直線部５２、屈曲部５３、および、電極後部とも称する終端部５４、５４’である。終端部には膨らんだ接触用後端部５５が設けられている。この接触部は、電気回路が形成された版等（図示しない）に形成された穴に挿入される部分である。
【００２４】
この実施例においては、接触用先端部５０は凹型の接点であるが、凸型の接点とすることもできる。
【００２５】
第１の直線部の節部５１は、平坦でかつ概略長方形であることが望ましい。その理由については後に記載する。
【００２６】
前方絶縁ブロック３は、オリフィス３００を有する本体３０、図においては上方に位置する部分、を有する。このオリフィスは、前方絶縁ブロックの長手方向デルタｌに沿って配列されており、図中デルタＨで示す方向に本体３０を貫通する。一般的には、１方の列のオリフィスの数は他方の列のオリフィスの数と同一ではない。このように非対称形にオリフィスを配置することによって、補助コネクタの差し間違いを防止することができる。オリフィス３００はそれぞれ電極部材５を収容する。従って、オリフィスの形状は、図示された例示によれば概略円形に近い断面を有する接触用端部５０が自由に通過できるよう決められる必要がある。一方、図中上方の表面近傍には、概略長方形の窪み３０００が設けられている。窪み部分の形状および寸法は、電極部材５の節５１部分の形状との対応において決定される。すなわち、窪みの形状は、電極の節が窪みに押し込まれた後には、電極が窪みの中で回転しないような形状であることが必要である。
【００２７】
絶縁ブロック３の、図に従えば下方に示される下部３１は、角が丸められた形状であり、平坦な底面３１０を有し、接触用先端部５０はその底面近傍に達している。
【００２８】
この端部は、金属製の函体４によって覆われる。函体は、前方絶縁ブロックの下部３１を収容し固定するための中央凹部４００が形成された支持部４０と、前方絶縁ブロックの下部３１を包み込むスカート４１を有する。このスカート４１の底部には、前記平坦な底面３１０の形状に合わせて設けられた貫通孔４１０が設けられている。
【００２９】
これらの部分の嵌合状態は、従来の補助コネクタにおいて部材が組み合わされる状態と基本的には相違がない。
【００３０】
上記の実施例においては、終端部５４、５４’および接触部５５を挿入する際に、前方絶縁ブロック３および後方絶縁ブロック２を補強し、また、同時に電極部材５の変形を防止するように構成されていることが望ましい。
【００３１】
この目的のために、前方絶縁ブロック３には、例えば実施例においては窪み３０１であるが何らかの係合凹部が形成されており、後方絶縁ブロックには、窪み２２１０、２２１１および２１１０が形成されている。前方絶縁ブロック３の窪みは、図示したように、本体３０の長手方向の外縁部に形成されている。同様に、後方絶縁ブロック２には、回路を印刷した版等と接するウイング部２１、２２が設けられている。絶縁部材２および３の第１図においては表示されていない側にも、窪み２２１０、２１１０および３０１に対応する窪みが形成されている。
【００３２】
前方函体４の外縁部には、前記窪みと同数の押さえ部材または同様な保持機構が設けられている。補助コネクタ１が組み立てられて状態においては、第１グループの押さえ部材４２は、前方絶縁ブロック３の窪み３０１に対応し、第２グループの押さえ部材４３は窪み２２１０、２２１１、２１１０に対応する。続いて、押さえ部材４２および４３を対応する窪み３０１、２２１０、２２１１、２１１０内に折り曲げて、補助コネクタ１を構成する前記それぞれの部材を互いに固定する。
【００３３】
上記の説明から、本願発明に係る補助コネクタが複雑なものでなく、また、製造において多大な費用が必要なものでもないことが容易に理解される。単一の締結工程によって、従来においては複雑な工程を経てのみ可能となるであろう組立を容易に実現することができる。
【００３４】
さらに本願発明に係る補助コネクタ１を構成する部材の組立方法について、図２、３、４および５を参照して述べる。以下の記述においては、前出の部材は前出の符号と同様の符号を付すものとし、既に記述した構成については特に必要な場合以外は述べないものとする。
【００３５】
図２および３は、前方絶縁ブロック３に前方函体４を組み込んだ状態を斜め上および斜め下からみた状態を示す斜視図である。電極部材５は、既に述べた方法および従来から知られていた方法を使用して、所定の位置に既に組み込まれているものとする。前方絶縁ブロック３と電極部材５が組み合わされた状態で前方函体４の収容部に収納する。次に、押さえ部材４２を窪み３０１に押し曲げる。この工程によって前記前方絶縁ブロック３と電極部材５が組み合わされたものが函体に固定される。
【００３６】
次に、図４および５に示すように、前方絶縁ブロック３および電極部材５を組み合わせたものの上部から、後方絶縁ブロック２を、屈曲部５３と終端部５４、５４’とが、それぞれの収容部２０１ー２０２（図１参照）に挿入されるようにかぶせる。
【００３７】
次に必要なことは、押さえ部材４３を、対応する窪み２２１０、２２１１および２１１０に向かって押し曲げるだけである（４番目の押さえ部材は図に示した方向からは見ることができない）。
【００３８】
最後に、以上の組立が終了すれば、補助コネクタ１は、図５において破線で示す電気回路が印刷された版ＰＣに搭載される。この時、電極部材５の接触部５５は、版ＰＣに形成された穴に圧入される。
【００３９】
版ＰＣと接触すべく形成されたウイング部２１の面２１１および貫通孔２１１１が同様に図示されている。
【００４０】
補助コネクタ１は、オリフィス２２１１、２１１１によって回路が印刷された版ＰＣに固定される。回路が印刷された版ＰＣにも、電極部材に対応するオリフィスが設けられている。固定にはビス、リベットあるいはその他の同様な部材を用いることができる。
【００４１】
本願発明において、補助の固定ウイング部２２１、２１１は後方絶縁ブロック２に設けられている。これらのウイング部には、オリフィス４００、４０１に対応するオリフィス２２００、２１００が形成されており、前方函体４の支持部４０にはオリフィス４００および４０１が形成されている。図示しない変形例によれば、このオリフィスを、補助コネクタ１と対になるべき補助コネクタとの結合のためのネジを受けるために使用することも可能である。図に示す実施例においては、補助コネクタはいわゆる凸型の接合部材を形成する。
【００４２】
本願発明の思想は、添付の図１〜図５に示された実施態様に限られるものではないことは明瞭である。
【００４３】
既に述べたように、補助コネクタは、必ずしも実施例に示すように凸型である必要はなく、凹型であっても良い。本願発明の技術的思想を実現できる限り、補助コネクタを構成する各部の形状および部材の個数は必要に応じて変更することが可能である。特に、電極部材の個数および列の数は（実施例では２列であったが）、１あるいは３以上であってもよく、これらは必要に応じて技術的要請に従って定められるべき性質のものである。
【００４４】
本願発明の構成によった場合には、ブロックの組み合わせによって構造全体として高い剛性が確保されるために、前方ブロックを前方函体によって補強することは必ずしも必要ではない。既述したサンドイッチ構造に起因して、後方絶縁ブロックを前方函体で補強する構成によっても同様の目的を達成することができる。
【００４５】
前方函体は、図示した実施例においては、相対する補助コネクタと逆向きに接続されることを防止するために、非対称な形状とされているが、必ずしもこの形状に限定されず、対象形でもさしつかえない。
【００４６】
上記に示した本願発明の特徴の一部である接点数、電極の形状等は、製作上の要請以外にも、関連する放棄、基準を満足するためにも必要に応じて変更されるものである。
【図面の簡単な説明】
【図１】  本願発明に係る補助コネクタの分解斜視図である。
【図２】  前方函体と前方絶縁ブロックとの結合の様子を示す斜視図であり、それぞれ斜め上および斜め下から見たものである。
【図３】  前方函体と前方絶縁ブロックとの結合の様子を示す斜視図であり、それぞれ斜め上および斜め下から見たものである。
【図４】  前方函体と前方絶縁ブロックとを最終的に後方絶縁ブロックに結合させた状態を示す斜視図であり、それぞれ斜め上および斜め下から見たものである。
【図５】  前方函体と前方絶縁ブロックとを最終的に後方絶縁ブロックに結合させた状態を示す斜視図であり、それぞれ斜め上および斜め下から見たものである。
【符号の説明】
２    後方絶縁ブロック
３    前方絶縁ブロック
４    前方函体
２１、２２  ウイング部
３０  中央部
５０  電極前部
５１  屈曲部
５４、５４’、５５  電極後部
４３、２２０１、２２１０、２１１０  補助係止手段
３０１  窪み
２２００、２１００  接続手段（オリフィス）
【図１】
0003688011.tif 000002
【図２】
0003688011.tif 000003
【図３】
0003688011.tif 000004
【図４】
0003688011.tif 000005
【図５】
0003688011.tif 000006